(57)【特許請求の範囲】
【請求項１】
容器上部のセルプレートに穿設された多数の濾布取付孔に、細長い袋状の濾布の上端部を支持させ、該各濾布の内側に骨組構造とした円筒状のリテーナを挿入するようにしてあるバグフィルターの上記濾布よりも大径の開口を上端と下端に形成した所要高さの装置本体ケーシングを、上記セルプレート上に着脱自在に載置できるようにし、該装置本体ケーシングの所要位置に、吸引装置を接続するための空気吸引口を設けると共に、圧縮空気源に接続した空気供給管を導設し、且つ上記装置本体ケーシング内に、内周部を濾布よりも大径として該内周部に多数の空気噴射用ノズル孔を設けたリング状の空気ヘッダー管を固定配置して、該空気ヘッダー管に空気供給管を接続し、更に、上記装置本体ケーシングの上端の開口部分に、濾布収納用袋の下端部を着脱可能に固定できるようにした構成を有することを特徴とするバグフィルターの濾布交換装置。
【請求項２】
装置本体ケーシング内に、引き抜き時の濾布の表面に接触させるようにブラシを取り付けた請求項１記載のバグフィルターの濾布交換装置。
【発明の詳細な説明】
【０００１】
【発明の属する技術分野】
本発明はダストを捕集する装置であるバグフィルターの濾布交換装置に関するものである。
【０００２】
【従来の技術】
サイクロン集塵機では捕集できないようなガスに混じった小さなダストを捕集する装置としてバグフィルターが用いられている。
【０００３】
上記バグフィルターは、図５（イ）（ロ）（ハ）にその一例の概略を示す如く、上下方向に延びるように据え付けられた容器１内の上端部位置に、円形とした多数の濾布取付孔２を縦横に並べて開孔させたセルプレート３を気密に取り付け、上記濾布取付孔２に、円筒形状とした細長い袋状の濾布４を上方から落し込んで、上端部を濾布取付孔２の周縁部の止め金具５に係合支持させ、且つこれら濾布４内に、骨組構造とした円筒状のリテーナ６を上方より挿入配置して、該リテーナ６の上端部を濾布取付孔２の周縁部上面に載せ、又、上記容器１の下端部には、下端にスクリューコンベヤ７を装備させたホッパ８を連設し、該ホッパ８の下側部のガス入口９から導入した燃焼排ガスの如きガスを、各濾布４の外側から内側へ通過させることによってダストを捕集させるようにし、ダスト捕集後のガスを、容器１の上側部のガス出口１０からクリーンガスとして排出させるようにしてある。１ａは容器１の天井蓋、１１は容器１の支持架構を示す。
【０００４】
上記バグフィルターでは、定期的に、あるいは、所要期間経過する度に、図示しないエアブロー管を用いて濾布４の上方空間からエアをブローさせて逆洗を行うことにより、濾布４の表面に付着したダストを取り除くようにしているが、たとえば、長期間の運転により、あるいは、短期間の運転であっても湿分の多いダストの処理等により濾布４が目詰まりを起こすことがあり、目詰まりして逆洗できなくなると濾布として機能しなくなり、交換する必要がある。
【０００５】
上記濾布４を新品と交換する場合、従来では、真空掃除機に接続されたホースを、作業員が濾布４の表面に当ててダストを落しながらリテーナ６と共に上方に引き抜いた後、広いスペースのある場所まで横持ちして運び、そこで袋詰めを行うようにしている。なお、引き抜きの際、健全部には養生が必要である。
【０００６】
【発明が解決しようとする課題】
ところが、上記従来の濾布４の交換方法の場合には、作業中に、ダイオキシン類等を含むダストが周囲に飛散して作業環境を悪くするおそれがあり、又、人力でダストを払い落しながら、濾布４をリテーナ６と共に引き抜いて梱包するようにすることから、効率が悪いという問題がある。
【０００７】
そこで、本発明は、ダストの飛散を防止でき、且つ濾布交換作業の効率化を図ることができるようなバグフィルターの濾布交換装置を提供しようとするものである。
【０００８】
【課題を解決するための手段】
本発明は、上記課題を解決するために、容器上部のセルプレートに穿設された多数の濾布取付孔に、細長い袋状の濾布の上端部を支持させ、該各濾布の内側に骨組構造とした円筒状のリテーナを挿入するようにしてあるバグフィルターの上記濾布よりも大径の開口を上端と下端に形成した所要高さの装置本体ケーシングを、上記セルプレート上に着脱自在に載置できるようにし、該装置本体ケーシングの所要位置に、吸引装置を接続するための空気吸引口を設けると共に、圧縮空気源に接続した空気供給管を導設し、且つ上記装置本体ケーシング内に、内周部を濾布よりも大径として該内周部に多数の空気噴射用ノズル孔を設けたリング状の空気ヘッダー管を固定配置して、該空気ヘッダー管に空気供給管を接続し、更に、上記装置本体ケーシングの上端の開口部分に、濾布収納用袋の下端部を着脱可能に固定できるようにした構成とする。
【０００９】
装置本体ケーシングを濾布取付孔に合わせてセルプレート上にセットし、濾布収納用袋の上端部を吊り上げ治具等に固定し、且つ濾布収納用袋の下端部を装置本体ケーシングの上端開口部分に固定した状態で、空気吸引口に接続した吸引装置を駆動しつつリテーナを吊り上げ治具で引き上げて行くときに、空気ヘッダー管の各ノズル孔から濾布の表面へ向けて圧縮空気を吹き付けてダストを払い落とすようにすると、払い落されたダストは空気吸引口を通して吸引装置で回収できるので、ダストを周囲に飛散させることなく濾布を引き抜くことができ、同時に、濾布収納用袋に濾布を収納させて包み込むことができる。
【００１０】
又、装置本体ケーシング内に、引き抜き時の濾布の表面に接触させるようにブラシを取り付けた構成とすることにより、濾布の引き抜き時に、濾布表面のダストを、ブラシによって効率よく掻き落とすことができる。
【００１１】
【発明の実施の形態】
以下、本発明の実施の形態を図面を参照して説明する。
【００１２】
図１及び図２は本発明の実施の一形態を示すもので、図５（イ）（ロ）（ハ）に示したと同様な構成としてあるバグフィルターへの採用例について示す。
【００１３】
すなわち、中心部に濾布４を遊嵌状態に挿通させ得る大きさの径の開口１２を形成した上面板１３と、該上面板１３の下面に上端を固定すると共に下端部に上記開口１２と同じような径の開口１４を形成させた筒体１５とからなり、且つ該筒体１５の上部を外側へ膨らませて上記開口１２，１４の径よりも大径とした中空部１６を内部に形成した装置本体ケーシング１７を構成し、該装置本体ケーシング１７の上記筒体１５の下端部外周の所要個所（たとえば、３個所）に、セルプレート３に吸着させるためのマグネット１８を、マグネット台１９を介して取り付け、該マグネット１８の吸着力により、濾布取付孔２の位置に合わせて上記装置本体ケーシング１７を着脱自在にセットできるようにする。
【００１４】
又、上記装置本体ケーシング１７の上面板１３上には、開口１２の縁部上に、該開口１２の径に合わせた直径としてある所要高さのコーミング筒２０を立設して、該コーミング筒２０の外周面部に、上下方向に伸縮できる蛇腹筒形状としたプラスチックフィルムからなる濾布収納用袋２１の下端部を、バンドやワイヤの如き固縛部材２２により固定できるようにすると共に、該濾布収納用袋の上端部を、リテーナ６の上端部の係合金具６ａに係合させてリテーナ６を吊り上げるようにしてある吊り上げ治具２３の中間部外周に、同様な固縛部材２２により固定するようにし、リテーナ６の上端部の係合金具６ａに係合させた吊り上げ治具２３をクレーン等の吊上装置（図示せず）で吊り上げることにより、リテーナ６と一体に濾布４を濾布取付孔２から上方へ引き抜けるようにする。
【００１５】
更に、上記装置本体ケーシング１７の中空部１６内には、濾布4を挿通できるような大きさの内径を有して内周部に多数の空気噴射用ノズル孔２４を穿設したリング状の空気ヘッダー管２５を水平状態に配置して、取付ブラケット２６により適宜固定し、且つ該空気ヘッダー管２５に一端を接続した空気供給管２７の他端を、装置本体ケーシング１７外へ導いてコンプレッサの如き圧縮空気源（図示せず）に接続し、濾布４の引き抜き時に、圧縮空気源から空気供給管２７を通して空気ヘッダー管２５内に供給した圧縮空気を、各ノズル孔２４より噴射させて濾布４表面に付着しているダストを払い落とせるようにし、更に、上記装置本体ケーシング１７の筒体１５の所要個所に、真空掃除機の如き真空吸引装置（図示せず）を接続するための空気吸引口２８を設けて、上記空気ヘッダー管２５によるダストの払い落し時に、装置本体ケーシング１７内の雰囲気を真空吸引装置により吸引して払い落とされたダストを回収できるようにする。
【００１６】
なお、上記吊り上げ治具２３は、下端部をフック部とした上下方向に長い２枚の吊り上げ部材２９の上端同士をシャックル３０により回動自在に支持し、２枚の吊り上げ部材２９により形成される開き角度をロックピン３１の差し込みにより保持できるようにしてある。
【００１７】
濾布４を交換する場合には、先ず、図１に示す如く、交換すべき濾布４がある濾布取付孔２の位置に合わせて、装置本体ケーシング１７をセットするようにする。この場合、装置本体ケーシング１７の筒体１５の下端部に取り付けてあるマグネット１８をセルプレート３の上面に吸着させることによりセット状態となる。次に、装置本体ケーシング１７の上面板１３上に立設されているコーミング筒２０に、濾布収納用袋２１の下端部を固縛部材２２により固定し、更に、該濾布収納用袋２１の上端部を、吊上装置から吊られた状態の吊り上げ治具２３の中間部に、同様に固縛部材２２を用いて固定する。なお、上記濾布収納用袋２１はコーミング筒２０と吊り上げ治具２３との間に予め取り付けておくようにしてもよい。
【００１８】
次に、ロックピン３１を抜いて２枚の吊り上げ部材２９を直線状に重ね合わせた状態とした吊り上げ治具２３を、吊上装置の操作により下降させてリテーナ６内に挿入した後、上記２枚の吊り上げ部材２９を開いてフック部をリテーナ６の係合金具６ａに係合させ、更に、その係合状態を保持させるように吊り上げ部材２９にロックピン３１を差し込むようにする。又、この間に、装置本体ケーシング１７の空気吸引口２８に真空吸引装置を接続しておくようにする。
【００１９】
上記の状態において、真空吸引装置を駆動しながら、図２に示す如く、吊上装置の操作により吊り上げ治具２３を上昇させてリテーナ６と一体に濾布４を徐々に上方へ引き抜いていくようにし、且つ、同時に、圧縮空気源からの圧縮空気を空気供給管２７を通して空気ヘッダー管２５内に供給して、各ノズル孔２４から濾布４の表面へ向けて圧縮空気を吹き付けるようにする。これにより、濾布４の引き抜き動作に伴い、濾布４の表面に付着していたダストは圧縮空気の吹き付けによって払い落とされることになり、落されたダストは空気吸引口２８を通って真空吸引装置に吸引され回収されることになる。したがって、ダストは装置本体ケーシング１７外へ飛散することはない。
【００２０】
上記のようにして、吊り上げ治具２３の上昇により濾布４を濾布取付孔２から引き抜いて装置本体ケーシング１７の上方位置まで上昇させると、真空吸引装置及び圧縮空気源の駆動を停止する。このとき、濾布収納用袋２１は吊り上げ治具２３の上昇により引き延ばされて（展張されて）いるため、濾布４は濾布収納用袋２１内に自動的に収納された状態となる。したがって、この状態において、コーミング筒２０部から固縛部材２２を取り外して、濾布収納用袋２１の下端部を固縛部材２２により固縛するようにする。
【００２１】
しかる後、濾布収納用袋２１内に収納されて梱包された状態の濾布４を吊り上げ治具２３にて吊った状態のまま、吊上装置により所定の場所まで運搬させるようにする。この際、濾布４は濾布収納用袋２１にて梱包された状態となっているため、運搬途中でダストが周囲に飛散することはない。なお、濾布４の運搬は、吊上装置によらず作業員が行うようにしてもよい。その場合は、吊り上げ治具２３から固縛部材２２を取り外し、吊り上げ治具２３を抜き出して、再び固縛部材２２で濾布収納用袋２１の上端部を固縛するようにする。
【００２２】
上記のように濾布４を運搬している間に、装置本体ケーシング１７を次の個所へ移動させてセットした後、同様な作業を繰り返すようにすることにより、濾布交換作業を円滑に行うことができる。上記において、装置本体ケーシング１７のセットはセルプレート３の上面に対しマグネット１８を着脱させることによって行うので、セット場所を変えるときでも、作業員が容易且つ確実に行うことができる。
【００２３】
次に、図３及び図４は本発明の実施の他の形態を示すもので、図１及び図２に示したと同様な構成において、装置本体ケーシング１７にダスト掻き取り機能を付加したものである。すなわち、装置本体ケーシング１７の上面板１３と筒体１５の上端部との間に、外径を上面板１３の外径に合わせ且つ内径を濾布４の外径よりも大きく開口１２よりも小さくしてあって、内径側から外周部側へ向けて放射方向に多数の切込線３２ａが周方向に等間隔に入れてある上下２枚のリング状のゴム板３２を、ボルト３３により取り付けると共に、該２枚のゴム板３２間にリング状の支持プレート３６を挟持させてボルト３３で固定するようにし、且つ基端部を集束させて保持ピース３４に保持させてある多数のブラシ３５を、濾布４の直径よりも小径となる位置で先端部が隙間なく密に接するように円周方向に並べた状態として、上記上下のゴム板３２間に挟持させて、支持プレート３６にビス３７にて一体に支持させ、引き抜き時の濾布４の表面に上記各ブラシ３５を弾性的に接触させて、濾布４表面に付着しているダストを掻き落せるようにしたものである。
【００２４】
図３及び図４に示すように構成すると、図３において、二点鎖線で示すように、上方へ引き抜かれる濾布４の表面にブラシ３５の先端部を周方向に一様に接触させることができ、且つこれらブラシ３５にゴム板３２の弾性反力を付与できることから、空気ヘッダー管２５の各ノズル孔２４から噴射させた圧縮空気の作用によっても払い落とせなかったダストを掻き落とすことができ、ダストの除去効率を更に向上させることができる。
【００２５】
なお、上記実施の形態では、濾布収納用袋２１の上端部を吊り上げ治具２３に固縛するようにした場合を示したが、リテーナ６あるいは濾布４の上端部に直接固縛するようにしてもよいこと、また、装置本体ケーシング１７の上端にブラシ３５を取り付ける場合を示したが、ブラシ３５の取付位置は装置本体ケーシング１７の上下方向において任意であること、その他本発明の要旨を逸脱しない範囲内において種々変更を加え得ることは勿論である。
【００２６】
【発明の効果】
以上述べた如く、本発明のバグフィルターの濾布交換装置によれば、容器上部のセルプレートに穿設された多数の濾布取付孔に、細長い袋状の濾布の上端部を支持させ、該各濾布の内側に骨組構造とした円筒状のリテーナを挿入するようにしてあるバグフィルターの上記濾布よりも大径の開口を上端と下端に形成した所要高さの装置本体ケーシングを、上記セルプレート上に着脱自在に載置できるようにし、該装置本体ケーシングの所要位置に、吸引装置を接続するための空気吸引口を設けると共に、圧縮空気源に接続した空気供給管を導設し、且つ上記装置本体ケーシング内に、内周部を濾布よりも大径として該内周部に多数の空気噴射用ノズル孔を設けたリング状の空気ヘッダー管を固定配置して、該空気ヘッダー管に空気供給管を接続し、更に、上記装置本体ケーシングの上端の開口部分に、濾布収納用袋の下端部を着脱可能に固定できるようにした構成としてあるので、装置本体ケーシングを濾布取付孔の位置に合わせてセットし、濾布を引き抜きながら、空気吸引口に接続した吸引装置を駆動すると共に、空気供給管より空気ヘッダー管へ圧縮空気を供給して各ノズル孔から濾布表面へ向けて圧縮空気を吹き付けるようにすることにより、濾布表面から払い落としたダストを吸引装置にて吸引することができて、ダストを周囲に飛散させることなく濾布を引き抜くことができると同時に、濾布を濾布収納用袋内に自動的に回収することができ、しかも、濾布を引き抜いた後、濾布を梱包状態で運搬することができて、運搬時にダストが飛散することをも防止することができ、したがって、濾布交換作業を効率よく行うことができると共に、作業環境を改善することができ、又、装置本体ケーシング内に、引き抜き時の濾布の表面に接触させるようにブラシを取り付けた構成とすることにより、濾布の引き抜き時に、濾布表面のダストをブラシによって掻き落とすことができ、圧縮空気の吹き付けによる払い落しとの併用により、ダストの除去効率を向上させることができる、等の優れた効果を発揮する。
【図面の簡単な説明】
【図１】本発明のバグフィルターの濾布交換装置の実施の一形態を示す切断側面図である。
【図２】図１に示す状態から濾布を引き抜いている状態を示す切断側面図である。
【図３】本発明の実施の他の形態を示す切断側面図である。
【図４】図３のＡ−Ａ方向矢視図である。
【図５】バグフィルターの一例を示すもので、（イ）は一部切断側面図、（ロ）は（イ）の一部分の平面図、（ハ）は（イ）のＢ部拡大図である。
【符号の説明】
１  容器
２  濾布取付孔
３  セルプレート
４  濾布
６  リテーナ
１２  開口
１４  開口
１６  中空部
１７  装置本体ケーシング
２１  濾布収納用袋
２３  吊り上げ治具
２４  ノズル孔
２５  空気ヘッダー管
２７  空気供給管
３５  ブラシ
【図１】
0004261015.tif 000002
【図２】
0004261015.tif 000003
【図３】
0004261015.tif 000004
【図４】
0004261015.tif 000005
【図５】
0004261015.tif 000006